(57)【要約】【課題】デジタル放送の受信を中断することなくＢＭＬブラウザで決済可能とし、そのチャージ(価値情報の追加蓄積)も可能にする課金処理システム及び課金処理方法を提供すること。【解決手段】デジタル放送システム１０では、デジタル放送受信端末２００がＢＭＬブラウザ部２０９による通信機能を用いてデジタル放送と連動した商品の購入及び決済をデジタル放送の受信を中断することなく行えるようにし、この決済を行うための価値情報(電子マネー)の追加蓄積(チャージ)はＷＥＢブラウザ部２０９による通信機能を用いて汎用のネットワーク(インターネット)を介して行えるようにした。【選択図】図２
2007336168.tif 000002
【特許請求の範囲】
【請求項１】
放送局からのデジタル放送に重畳されたデータを送受信するＢＭＬブラウザ部と、汎用ネットワークを介してサーバとデータを送受信するＷＥＢブラウザ部と、を備えたデジタル放送受信端末を用いて前記デジタル放送に関連した課金処理を行う課金処理システムであって、
前記ＢＭＬブラウザ部と通信を行い、デジタル放送の受信状態を維持したまま認証とサービスまたは商品の決済とを受け付ける第１のサーバ処理手段と、
前記ＷＥＢブラウザ部と汎用ネットワークを介した通信で前記認証を行う端末に対して前記決済を行うための価値情報を追加蓄積する第２のサーバ処理手段と、を備えたことを特徴とするデジタル放送と連動した課金処理システム。
【請求項２】
放送局からのデジタル放送に重畳されたデータを送受信するＢＭＬブラウザ部と、汎用ネットワークを介してサーバとデータを送受信するＷＥＢブラウザ部と、を備えたデジタル放送受信端末を用いて前記デジタル放送に関連した課金処理を行う課金処理方法であって、
前記ＢＭＬブラウザ部とネットワークを介して接続された課金処理サーバに対して、デジタル放送受信端末が、デジタル放送の受信状態を維持したまま認証とサービスまたは商品の決済とを要求するステップと、
前記課金処理サーバが、前記要求に対して、ユーザ認証を行い、サービスまたは商品に対する決済処理を行うステップと、
前記課金処理サーバに対して前記デジタル放送受信端末が汎用ネットワークを介して、前記決済処理を行うための価値情報を追加蓄積するステップと、
からなることを特徴とするデジタル放送と連動した課金処理方法。
【発明の詳細な説明】
【技術分野】
【０００１】
本発明は、デジタル放送に連動した課金処理技術に関する。
【背景技術】
【０００２】
地上波デジタル放送では、６ＭＨｚの放送波を１３個の帯域に分割し、帯域毎に搬送波の変調方式や畳み込み符号の符号化率を選択できるようにしている。そして、分割した各帯域をセグメントと呼んでいる。この１セグメント分の帯域を使用した携帯端末向けのデジタル放送がいわゆる「ワンセグ放送」として実現されている。
【０００３】
ワンセグ放送対応の受信端末としては、モバイル型のパーソナルコンピュータ、カーナビゲーションシステム、携帯電話端末等が開発されており、ノイズの少ないテレビ放送の受信が可能となっている。
【０００４】
携帯電話端末型のワンセグ対応端末では、携帯電話端末で実現されている決済技術をそのまま利用可能とすることにより、放送と連動した商品購入やサービス享受に関わる課金処理が原理的に可能となっている。
【０００５】
なお、地上デジタル放送受信装置における課金技術としては、下記の特許文献１があるが、受信状態の良・不良で視聴課金を行うことを述べているだけである。
【特許文献１】特開２００１−３２０６８９号公報
【発明の開示】
【発明が解決しようとする課題】
【０００６】
ところで、上記携帯電話端末型のワンセグ対応端末では、ワンセグ放送を受信している間は、ＢＭＬ(Broadcast Markup Language)方式に対応したＢＭＬブラウザが起動した状態となっており、汎用ネットワーク(インターネット)への接続が制限される。
【０００７】
したがって、ＢＭＬに準拠したデータ通信(デジタル放送に重畳されたデータ送受信)は可能であるものの、決済を行うためにはＢＭＬブラウザを中断して、ＷＥＢブラウザ(ＨＴＭＬ(HyperText Markup Language)方式に準拠)を起動して汎用ネットワークに接続し直す必要があった。
【０００８】
そのため、ワンセグ放送(デジタル放送)の受信も中断されてしまい、商品の購入や決済をＷＥＢブラウザで行っている間はワンセグ放送の内容を視聴はおろか聴取することもできなくなっていた。
【０００９】
そこで、本発明は、このような点に鑑みてなされたものであり、デジタル放送の受信を中断することなくＢＭＬブラウザで決済可能とし、そのチャージ(価値情報の追加蓄積)も可能にする課金処理システム及び課金処理方法を提供することを目的とする。
【課題を解決するための手段】
【００１０】
本発明の課金処理システムは、放送局からのデジタル放送に重畳されたデータを送受信するＢＭＬブラウザ部と、汎用ネットワークを介してサーバとデータを送受信するＷＥＢブラウザ部と、を備えたデジタル放送受信端末を用いて前記デジタル放送に関連した課金処理を行う課金処理システムであって、前記ＢＭＬブラウザ部と通信を行い、デジタル放送の受信状態を維持したまま認証とサービスまたは商品の決済とを受け付ける第１のサーバ処理手段と、前記ＷＥＢブラウザ部と汎用ネットワークを介した通信で前記認証を行う端末に対して前記決済を行うための価値情報を追加蓄積する第２のサーバ処理手段と、を備えたことを特徴とする。
【００１１】
この構成によれば、デジタル放送受信端末がＢＭＬブラウザ部による通信機能を用いてデジタル放送と連動した商品の購入及び決済をデジタル放送の受信を中断することなく行えるようにし、この決済を行うための価値情報の追加蓄積はＷＥＢブラウザ部による通信機能を用いて汎用のネットワークを介して行えるため、予め汎用のネットワークを介して価値情報を追加蓄積しておけば、ＢＭＬブラウザ部によるデジタル放送受信を中断することなく、デジタル放送と連動した商品の購入及び決済を行うことができる。
【００１２】
本発明の課金処理方法は、放送局からのデジタル放送に重畳されたデータを送受信するＢＭＬブラウザ部と、汎用ネットワークを介してサーバとデータを送受信するＷＥＢブラウザ部と、を備えたデジタル放送受信端末を用いて前記デジタル放送に関連した課金処理を行う課金処理方法であって、前記ＢＭＬブラウザ部とネットワークを介して接続された課金処理サーバに対して、デジタル放送受信端末が、デジタル放送の受信状態を維持したまま認証とサービスまたは商品の決済とを要求するステップと、前記課金処理サーバが、前記要求に対して、ユーザ認証を行い、サービスまたは商品に対する決済処理を行うステップと、前記課金処理サーバに対して前記デジタル放送受信端末が汎用ネットワークを介して、前記決済処理を行うための価値情報を追加蓄積するステップと、からなることを特徴とする。
【００１３】
この方法によれば、デジタル放送受信端末がＢＭＬブラウザ部による通信機能を用いてデジタル放送と連動した商品の購入及び決済をデジタル放送の受信を中断することなく行えるようにし、この決済を行うための価値情報の追加蓄積はＷＥＢブラウザ部による通信機能を用いて汎用のネットワークを介して行えるため、予め汎用のネットワークを介して価値情報を追加蓄積しておけば、ＢＭＬブラウザ部によるデジタル放送受信を中断することなく、デジタル放送と連動した商品の購入及び決済を行うことができる。
【発明の効果】
【００１４】
本発明によれば、デジタル放送の受信を中断することなくＢＭＬブラウザで決済が可能となる。
【発明を実施するための最良の形態】
【００１５】
以下、本発明の実施の形態について図面を参照して説明する。
【００１６】
図１は、本発明を適用した一実施の形態のデジタル放送システムのシステム構成を示す図である。図１において、デジタル放送システム１０は、テレビ局１００と、デジタル放送受信端末２００と、放送局サーバ３００（第１のサーバ処理手段と第２のサーバ処理手段とを兼用）と、決済管理データベース装置４００と、から構成され、デジタル放送受信端末２００と放送局サーバ３００はインターネットＮを介して接続され、放送局サーバ３００と決済管理データベース装置４００は専用回線Ｌを介して接続される。
【００１７】
テレビ局１００は、各種番組等の番組データと、番組に連動するまたは独自のデータ放送を提供するＢＭＬデータを含む放送用データをテレビ放送電波に変調して放送する。デジタル放送受信端末２００は、テレビ局１００から放送されるテレビ放送電波を受信し、そのテレビ放送電波を復調して番組データを再生するとともに、ＢＭＬデータに基づくデータ放送を表示する。また、デジタル放送受信端末２００は、インターネットＮを介して放送局サーバ３００との間で放送用コンテンツの視聴サービスに関する情報を送受信する。放送局サーバ３００は、インターネットＮを介してコンテンツに関連する商品購入に関する情報を送受信するとともに、その送受信する商品購入に関する各種情報を専用回線Ｌを介して決済管理データベース装置４００との間で授受する。決済管理データベース装置４００は、放送局サーバ３００で視聴者登録されたデジタル放送受信端末２００に対して提供する商品購入サービスに必要となる各種情報をデータベース化して記憶する。
【００１８】
図２は、デジタル放送受信端末２００の構成を示すブロック図である。図２において、デジタル放送受信端末２００は、制御部２０１と、入力部２０２と、表示部２０３と、ＷＥＢブラウザ部２０４と、Ｅメール部２０５と、通信部２０６と、デジタル放送受信部２０７と、デジタル放送制御部２０８と、ＢＭＬブラウザ部２０９と、記憶部２１０と、を備え、各部はバス２１１を介して接続されている。
【００１９】
制御部２０１は、記憶部２１０に記憶された各種プログラムによりデジタル放送受信端末２００内部の各部を制御する。
【００２０】
入力部２０２は、テンキー及び各種ファンクションキー等を備え、ユーザによるキー操作に応じたキー入力信号を制御部２０１に出力する。
【００２１】
表示部２０３は、液晶表示パネル等により構成され、制御部２０１から入力される表示制御信号により、デジタル放送制御部２０８から入力されるデジタル放送番組やＢＭＬデータ放送等を表示する。
【００２２】
ＷＥＢブラウザ部２０４は、データ放送に関連するＷＥＢサーバへのアクセス制御やＷＥＢ画面の表示制御、視聴登録処理に関わるメール画面表示制御やメール送信制御、チャージ処理に関わるＷＥＢアクセス制御やチャージページ表示制御等を実行する。
【００２３】
Ｅメール部２０５は、Ｅメールの作成処理や送受信処理、視聴登録処理に関わるメール送信処理等を通信部２０６により実行する。
【００２４】
通信部２０６は、インターネットＮと接続し、インターネットＮを介して放送局サーバ３００との間で通信を実行する通信機能を有する。通信部２０６は、放送局サーバ３００から商品購入サービスに関する各種情報を受信すると、その受信情報を制御部２０１に出力する。
【００２５】
デジタル放送受信部２０７は、テレビ局１００から放送されるテレビ放送電波を受信して番組データとＢＭＬデータを復調し、復調した番組データをデジタル放送制御部２０８に出力するとともに、ＢＭＬデータをＢＭＬブラウザ部２０９に出力する。
【００２６】
デジタル放送制御部２０８は、映像・音声再生部２０８ａとＮＶＲＡＭ２０８ｂを備える。映像・音声再生部２０８ａは、デジタル放送受信部２０７から入力される番組データの映像と音声を再生する。ＮＶＲＡＭ（Non Volatile RAM）２０８ｂは、不揮発性の半導体メモリであり、放送局サーバ３００から受信する視聴ＩＤ等を記憶する。
【００２７】
ＢＭＬブラウザ部２０９は、デジタル放送制御部２０８から入力されるＢＭＬデータに基づくデータ放送の表示制御、視聴登録処理に関わる登録画面表示制御や視聴登録情報送受信制御、決済処理に関わる決済画面表示制御や決済情報送受信制御等を実行する。
【００２８】
記憶部２１０は、制御部２０１において利用される各種プログラム等を記憶する。なお、図２では、ＢＭＬブラウザ部２０９を独立した構成として示しているが、デジタル放送制御部２０８内に含ませる構成としても良い。
【００２９】
図３は、放送局サーバ３００の構成を示すブロック図である。図３において、放送局サーバ３００は、制御部３０１と、ユーザ管理部３０２と、商品管理部３０３と、売買管理部３０４と、Ｅメール部３０５と、通信部３０６と、ＤＢＩ／Ｆ部３０７と、記憶部３０８と、を備え、各部はバス３１０を介して接続されている。
【００３０】
制御部３０１は、放送局サーバ３００内部の各部を制御して、視聴登録処理、チャージ処理、通信処理、決済処理等を制御する。
【００３１】
ユーザ管理部３０２は、視聴登録処理に関わるユーザ情報、チャージ処理に関わるチャージ額等の情報を決済管理データベース装置４００内のユーザ管理ＤＢ４００ａを利用して管理する。
【００３２】
商品管理部３０３は、決済処理に関わる商品在庫、ユーザ残高、商品代金、ユーザ配達先等の情報を決済管理データベース装置４００内の商品管理ＤＢ４００ｂを利用して管理する。
【００３３】
売買管理部３０４は、商品売買に関わるユーザ毎の売買実績、商品毎や店舗毎の清算金額等の情報を決済管理データベース装置４００内の商品管理ＤＢ４００ｂを利用して管理する。
【００３４】
Ｅメール部３０５は、視聴登録処理やチャージ処理に関わるメール送信処理等を通信部３０６により実行する。
【００３５】
通信部３０６は、インターネットＮと接続し、インターネットＮを介してデジタル放送受信端末２００との間で通信を実行する通信機能を有する。通信部３０６は、デジタル放送受信端末２００から視聴登録に関する情報や商品購入サービスに関する各種情報等を受信すると、その受信情報を制御部３０１に出力する。
【００３６】
ＤＢＩ／Ｆ部３０７は、専用回線Ｌと接続し、専用回線Ｌを介して決済管理データベース装置４００との間で上記視聴登録処理に関する情報や商品購入サービスに関する各種情報等を授受する。
【００３７】
記憶部３０８は、制御部３０１において利用される視聴登録制御プログラム、チャージ制御プログラム、通信制御プログラム、決済制御プログラム等を記憶する。
【００３８】
図４は、決済管理データベース装置４００の構成を示すブロック図である。図４において、決済管理データベース装置４００は、ユーザ管理ＤＢ４００ａと、商品管理ＤＢ４００ｂと、を備える。ユーザ管理ＤＢ４００ａは、ユーザテーブル４０１と、ユーザ個人情報テーブル４０２と、ユーザ購入履歴テーブル４０３と、を備える。商品管理ＤＢ４００ｂは、店舗・番組管理テーブル４０４と、商品管理テーブル４０５と、売買管理テーブル４０６と、を備える。
【００３９】
ユーザテーブル４０１は、図５に示すように、デジタル放送受信端末２００のユーザを識別する「ユーザＩＤ」と、ユーザ情報を暗号化する際に用いる暗号化ＩＤを設定する「ＮＶＲＡＭ用ＩＤ」と、デジタル放送受信端末２００に設定された電話番号とＷＥＢアドレス等を含む「携帯端末情報」と、ユーザの「メールアドレス」と、商品購入時等に利用する電子マネー(価値情報)の残高を示す「電子マネー残高」と、「その他」情報と、をデジタル放送受信端末２００のユーザ毎に対応付けて記憶するテーブルである。
【００４０】
ユーザ個人情報テーブル４０２は、図６に示すように、「ユーザＩＤ」と、ユーザの「名前」と、ユーザの「郵便番号」と、「住所」と、「生年月日」等と、をデジタル放送受信端末２００のユーザ毎に対応付けて記憶するテーブルである。
【００４１】
ユーザ購入履歴テーブル４０３は、図７に示すように、「ユーザＩＤ」と、購入した商品を識別する「購入商品ＩＤ」と、「購入日時」と、をデジタル放送受信端末２００のユーザ毎に対応付けて記憶するテーブルである。
【００４２】
店舗・番組管理テーブル４０４は、図８に示すように、商品の販売店を識別する「店舗ＩＤ」と、「店舗名」と、を対応付けて記憶するテーブルである。
【００４３】
商品管理テーブル４０５は、図９に示すように、商品を識別する「商品ＩＤ」と、「店舗ＩＤ」と、商品の「名前」と、商品の「画像」と、商品の在庫数等を示す「在庫」と、商品が属するジャンルや一般名称等を示す「商品メタ情報(ジャンル・キーワード等)」と、を対応付けて記憶するテーブルである。
【００４４】
次に、本実施の形態のデジタル放送システム１０における動作について説明する。
【００４５】
まず、上記「視聴登録処理」における詳細な処理について、図１０及び図１１を参照して説明する。図１０は、デジタル放送受信端末２００及び放送局サーバ３００の間で実行される視聴登録処理を示すフローチャートである。図１１は、デジタル放送受信端末２００において表示される登録画面の一例である。
【００４６】
デジタル放送受信端末２００は、入力部２０２からの指示により選択されたチャンネルのデジタル放送の受信を開始すると、ＢＭＬブラウザ部２０９は、デジタル放送制御部２０８から入力されるＢＭＬデータを取得してデータ放送画面を表示部２０３に表示する(ステップＳ１０１)。次に、ＢＭＬブラウザ部２０９は、入力部２０２から指示により登録要求が入力されたか否かを判別する(ステップＳ１０２)。登録要求が入力されると(ステップＳ１０２：ＹＥＳ)、ＢＭＬブラウザ部２０９は、デジタル放送制御部２０８内のＮＶＲＡＭ２０８ｂにＮＶＲＡＭ用ＩＤ(暗号化ＩＤ)が登録済みか否かを確認する(ステップＳ１０３)。ＮＶＲＡＭ用ＩＤが登録済みの場合は(ステップＳ１０３：ＹＥＳ)、登録済み画面を表示部２０３に表示して(ステップＳ１０４)、本処理を終了する。
【００４７】
また、ＮＶＲＡＭ用ＩＤが登録されていない場合は(ステップＳ１０３：ＮＯ)、ＢＭＬブラウザ部２０９は、登録フォーム画面を表示部２０３を表示する(ステップＳ１０５)。この登録フォーム画面の表示例を図１１に示す。この場合、画面の上側にはワンセグ放送によるテレビ画面を表示し、その下側に登録フォーム画面を表示している。この登録フォーム画面では、「お名前」と、「性別」と、「生年月日」と、を登録情報として入力する例である。
【００４８】
次いで、ＢＭＬブラウザ部２０９は、登録フォーム画面において登録情報が入力され、「登録」ボタン(決定)が操作されたか否かを判別する(ステップＳ１０６)。登録情報が入力され、「登録」ボタン(決定)が操作されたことを確認すると(ステップＳ１０６：ＹＥＳ)、その登録情報を通信部２０６からインターネットＮを介して放送局サーバ３００に送信する。
【００４９】
放送局サーバ３００は、デジタル放送受信端末２００から登録情報を通信部３０６により受信すると、ユーザ管理部３０２がＮＶＲＡＭ用ＩＤ(暗号化ＩＤ)を発行し(ステップＳ２０１)、受信した登録情報と発行したＮＶＲＡＭ用ＩＤ(暗号化ＩＤ)を対応付けて、決済管理データベース装置４００内のユーザテーブル４０１に登録する(ステップＳ２０２)。次いで、ユーザ管理部３０２は、発行したＮＶＲＡＭ用ＩＤ(暗号化ＩＤ)を通信部３０６からインターネットＮを介してデジタル放送受信端末２００に送信する。
【００５０】
デジタル放送受信端末２００は、放送局サーバ３００からＮＶＲＡＭ用ＩＤ(暗号化ＩＤ)を通信部２０６により受信すると、ＢＭＬブラウザ部２０９は、受信したＮＶＲＡＭ用ＩＤ(暗号化ＩＤ)をデジタル放送制御部２０８内のＮＶＲＡＭ２０８ｂに登録する(ステップＳ１０７)。次いで、ＢＭＬブラウザ部２０９は、当該視聴登録処理における手続き継続リンク(携帯端末情報の登録処理)があることを示す案内を表示部２０３に表示して、手続き継続へのリンク操作を促し(ステップＳ１０８)、手続き継続へのリンク操作の有無を確認する(ステップＳ１０９)。手続き継続リンクへのリンク操作がある場合は(ステップＳ１０９：ＹＥＳ)、ステップＳ１１０に進み、以後の処理をＷＥＢブラウザ部２０４に移行する。また、手続き継続リンクへのリンク操作がない場合は(ステップＳ１０９：ＮＯ)、本処理を終了する。
【００５１】
ＷＥＢブラウザ部２０４は、ＢＭＬブラウザ部２０９から手続き継続リンク(携帯端末情報の登録処理)の実行指示を受けると、記憶部２１０から携帯端末情報を取得し(ステップＳ１１０)、その携帯端末情報を通信部２０６からインターネットＮを介して放送局サーバ３００に送信する。
【００５２】
放送局サーバ３００は、デジタル放送受信端末２００から携帯端末情報を通信部３０６により受信すると、ユーザ管理部３０２が受信した携帯端末情報をユーザテーブル４０１に登録し(ステップＳ２０３)、メール送信通知を通信部３０６からインターネットＮを介してデジタル放送受信端末２００に送信する(ステップＳ２０４)。
【００５３】
次いで、デジタル放送受信端末２００は、放送局サーバ３００からメール送信通知を通信部２０６により受信すると、ＷＥＢブラウザ部２０４がメール送信画面を表示部２０３に表示する(ステップＳ１１１)。ＷＥＢブラウザ部２０４は、メール送信画面においてメーラー立ち上げ指示の有無、すなわち、Ｅメール部２０５起動の有無を確認する(ステップＳ１１２)。メーラー立ち上げ指示を確認すると(ステップＳ１１２：ＹＥＳ)、続いて、メール送信指示の有無を確認する(ステップＳ１１３)。メール送信指示を確認すると(ステップＳ１１３：ＹＥＳ)、送信用メールをＥメール部２０５で作成し、通信部２０６からインターネットＮを介して放送局サーバ３００に送信する。
【００５４】
次いで、放送局サーバ３００は、デジタル放送受信端末２００からメールを通信部３０６により受信すると、ユーザ管理部３０２が受信したメールに設定されたメールアドレスをユーザテーブル４０１に登録し(ステップＳ２０５)、登録完了通知をＥメール部３０５で作成し、通信部３０６からインターネットＮを介してデジタル放送受信端末２００に送信して(ステップＳ２０６)、本処理を終了する。
【００５５】
デジタル放送受信端末２００のＷＥＢブラウザ部２０４は、ステップＳ１１３におけるメール送信処理終了後、メーラーを終了して(ステップＳ１１４)、本処理を終了する。
【００５６】
以上の視聴登録処理により、デジタル放送受信端末２００のユーザ情報及び携帯端末情報は、放送局サーバ３００により決済管理データベース装置４００内のユーザテーブル４０１に登録されたことになる。
【００５７】
次に、上記「チャージ処理」における詳細な処理について、図１２及び図１３を参照して説明する。図１２は、デジタル放送受信端末２００及び放送局サーバ３００の間で実行されるチャージ処理を示すフローチャートである。図１３は、デジタル放送受信端末２００において表示されるチャージ画面の一例である。
【００５８】
このチャージ処理は、デジタル放送受信端末２００のユーザが、放送局サーバ３００を経由して決済管理データベース装置４００に対して電子マネーを加算する処理である。
【００５９】
デジタル放送受信端末２００は、上述の視聴登録処理終了後のＷＥＢへのアクセス指示(ステップＳ３０１)、予め登録されたブックマークへのアクセス指示(ステップＳ３０２)、または、メール本文に記載されたＷＥＢアドレスへのアクセス指示(ステップＳ３０３)、を受けて、ＷＥＢブラウザ部２０４が通信部２０６によりインターネットＮを介して放送局サーバ３００へのアクセス処理を開始する(ステップＳ３０４)。
【００６０】
放送局サーバ３００は、デジタル放送受信端末２００からのＷＥＢアクセス要求を通信部３０６により受信すると、ユーザ管理部３０２が、そのデジタル放送受信端末２００に該当する携帯端末情報が決済管理データベース装置４００内のユーザテーブル４０１に登録されているか否かを確認する(ステップＳ４０１)。該当する携帯端末情報が登録されていない場合は(ステップＳ４０１：ＮＯ)、エラー通知を通信部３０６からインターネットＮを介してデジタル放送受信端末２００に送信して(ステップＳ４０２)、本処理を終了する。
【００６１】
デジタル放送受信端末２００では、ＷＥＢブラウザ部２０４が放送局サーバ３００からのエラー通知受信の有無を確認し(ステップＳ３０５)、通信部２０６によりエラー通知を受信すると(ステップＳ３０５：ＹＥＳ)、エラー画面を表示部２０３に表示して(ステップＳ３０６)、本処理を終了する。
【００６２】
また、放送局サーバ３００のユーザ管理部３０２は、該当する携帯端末情報が登録されている場合は(ステップＳ４０１：ＹＥＳ)、ステップＳ４０３に進み、ユーザテーブル４０１から読み出した「電子マネー残高」情報を含む登録確認通知を通信部３０６からインターネットＮを介してデジタル放送受信端末２００に送信する。
【００６３】
デジタル放送受信端末２００では、放送局サーバ３００からのエラー通知を受信せず(ステップＳ３０５：ＮＯ)、放送局サーバ３００からの登録確認通知を通信部２０６により受信すると、ＷＥＢブラウザ部２０４がチャージページを表示部２０３に表示する(ステップＳ３０７)。このチャージページ画面の表示例を図１３に示す。このチャージページ画面では、受信した「電子マネー残高」情報から表示する「あなたの残高」と、加算するチャージ金額を入力する「チャージ金額」と、商品購入サービス利用時の電子マネー決済方法を指定する「決済方法」と、チャージ金額及び決済方法を決定する「チャージ」ボタンと、を表示した例である。
【００６４】
次いで、ＷＥＢブラウザ部２０４は、チャージ画面においてチャージ金額の入力と決済方法の選択が終了したか否かを確認し(ステップＳ３０８)、チャージ金額の入力と決済方法の選択が終了していなければ(ステップＳ３０８：ＮＯ)、チャージ画面の表示を継続し、チャージ金額の入力と決済方法の選択が終了していれば(ステップＳ３０８：ＹＥＳ)、そのチャージ金額と決済方法を含む決定情報を通信部２０６からからインターネットＮを介して放送局サーバ３００に送信する(ステップＳ３０９)。
【００６５】
放送局サーバ３００は、デジタル放送受信端末２００からの決定情報を通信部３０６により受信すると、売買管理部３０４が決定情報に含まれる決済方法(クレジットカード、銀行決済、コンビニ振込み)毎に外部決済処理を行い(ステップＳ４０４)、ユーザ管理部３０２が決定情報に含まれるチャージ金額をユーザテーブル４０１内の該当する欄に加算する(ステップＳ４０５)。そして、Ｅメール部３０５がチャージ完了通知を作成し、通信部３０６からインターネットＮを介してデジタル放送受信端末２００に送信して(ステップＳ４０６)、本処理を終了する。
【００６６】
デジタル放送受信端末２００では、放送局サーバ３００からのチャージ完了通知を通信部２０６により受信すると、ＷＥＢブラウザ部２０４がチャージ完了画面を表示部２０３に表示して(ステップＳ３１０)、本処理を終了する。
【００６７】
以上のチャージ処理により、デジタル放送受信端末２００のユーザは、放送局サーバ３００のＷＥＢにアクセスしてチャージ画面上でチャージ金額や決済方法を入力することにより、決済管理データベース装置４００内のユーザテーブル４０１に対して電子マネーが加算されたことになる。
【００６８】
次に、上記「決済処理」における詳細な処理について、図１４〜図１７を参照して説明する。図１４は、デジタル放送受信端末２００及び放送局サーバ３００の間で実行される決済処理を示すフローチャートである。図１５は、デジタル放送受信端末２００において表示される購入案内画面の一例である。図１６は、デジタル放送受信端末２００において表示される購入確認画面の一例である。図１７は、デジタル放送受信端末２００において表示される購入完了画面の一例である。
【００６９】
デジタル放送受信端末２００は、入力部２０２からの指示により選択されたチャンネルのデジタル放送の受信を開始すると、ＢＭＬブラウザ部２０９は、デジタル放送制御部２０８から入力されるＢＭＬデータを取得してデータ放送画面を表示部２０３に表示する(ステップＳ５０１)。このデータ放送画面に商品購入案内を表示する例を図１５に示す。この商品購入案内画面では、上側のテレビ画面に購入対象商品を表示し、その下側のデータ画面に対象商品の「商品名」と、「価格」と、対象商品の説明と、購入指示を入力する「購入」ボタンと、を表示した例である。
【００７０】
次に、ＢＭＬブラウザ部２０９は、入力部２０２から指示により購入要求が入力(「購入」ボタン操作)されたか否かを判別する(ステップＳ５０２)。購入要求が入力されると(ステップＳ５０２：ＹＥＳ)、ＢＭＬブラウザ部２０９は、デジタル放送制御部２０８内のＮＶＲＡＭ２０８ｂにＮＶＲＡＭ用ＩＤ(暗号化ＩＤ)が登録済みか否かを確認する(ステップＳ５０３)。ＮＶＲＡＭ用ＩＤが登録されていない場合は(ステップＳ５０３：ＮＯ)、上記図１０の視聴登録処理に移行する。また、ＮＶＲＡＭ用ＩＤが登録済みの場合は(ステップＳ５０３：ＹＥＳ)、登録情報(ＮＶＲＡＭ用ＩＤ)及び商品名等を含む商品購入要求を通信部２０６からインターネットＮを介して放送局サーバ３００に送信する(ステップＳ５０４)。
【００７１】
放送局サーバ３００は、デジタル放送受信端末２００からの商品購入要求を通信部３０６により受信すると、ユーザ管理部３０２が、商品購入要求に含まれたＮＶＲＡＭ用ＩＤによりユーザテーブル４０１を参照して会員認証を行う(ステップＳ６０１)。会員認証がＮＧの場合は(ステップＳ６０１：ＮＯ)、エラー通知を通信部３０６からインターネットＮを介してデジタル放送受信端末２００に送信して(ステップＳ６０２)、本処理を終了する。また、会員認証がＯＫの場合(ステップＳ６０１：ＹＥＳ)、商品管理部３０３は、商品購入要求に含まれた商品名に基づいて商品管理テーブル４０５(図９参照)から該当商品の在庫を参照して、在庫の有無を確認する(ステップＳ６０３)。在庫がない場合(ステップＳ６０３：ＮＯ)、商品管理部３０３は、エラー通知を通信部３０６からインターネットＮを介してデジタル放送受信端末２００に送信して(ステップＳ６０２)、本処理を終了する。
【００７２】
デジタル放送受信端末２００では、ＢＭＬブラウザ部２０９がエラー通知受信の有無を判別し(ステップＳ５０５)、エラー通知を受信した場合は(ステップＳ５０５：ＹＥＳ)、エラー画面を表示部２０３に表示して(ステップＳ５１１)、本処理を終了する。エラー通知を受信しない場合は(ステップＳ５０５：ＮＯ)、ステップＳ５０６に進む。
【００７３】
また、放送局サーバ３００の商品管理部３０３は、在庫がある場合は(ステップＳ６０３：ＹＥＳ)、ユーザテーブル４０１から該当ユーザの電子マネー残高を参照し(ステップＳ６０４)、商品管理テーブル４０５から該当商品の値段を参照し(ステップＳ６０５)、商品代金がユーザ残高以下か否かを判別する(ステップＳ６０６)。商品代金がユーザ残高より高い場合は(ステップＳ６０６：ＮＯ)、チャージ案内メールをＥメール部３０５で作成し、通信部３０６からインターネットＮを介してデジタル放送受信端末２００に送信して(ステップＳ６０７)、上記図１２のチャージ処理に移行する。
【００７４】
デジタル放送受信端末２００では、ＢＭＬブラウザ部２０９がチャージ案内メール受信の有無を判別し(ステップＳ５０６)、チャージ案内メールを受信した場合は(ステップＳ５０６：ＹＥＳ)、上記図１２のチャージ処理に移行する。チャージ案内メールを受信しない場合は(ステップＳ５０６：ＮＯ)、ステップＳ５０８に進む。
【００７５】
また、放送局サーバ３００の商品管理部３０３は、商品代金がユーザ残高より安い場合は(ステップＳ６０６：ＹＥＳ)、ユーザ個人情報テーブル４０５(図６参照)からユーザ配達先(郵便番号、住所)を参照し、そのユーザ配達先を設定した購入確認情報を通信部３０６からインターネットＮを介してデジタル放送受信端末２００に送信する(ステップＳ６０８)。
【００７６】
デジタル放送受信端末２００では、放送局サーバ３００からの購入確認情報を通信部２０６により受信すると、ＢＭＬブラウザ部２０９が購入確認ページを表示部２０３に表示する(ステップＳ５０７)。このデータ放送画面に商品確認案内を表示する例を図１６に示す。この商品購入確認画面では、上側のテレビ画面に購入対象商品を表示し、その下側のデータ画面に対象商品の「商品名」と、「価格」と、ユーザ配達先を示す「お届け先」入力欄と、購入決定指示を入力する「決定」ボタンと、を表示した例である。「お届け先」入力欄には、購入確認情報に設定されたユーザ配達先が表示される。
【００７７】
次いで、ＢＭＬブラウザ部２０９は、商品購入確認画面において「決定」ボタンの押下による確認ＯＫが入力されたか否かを判別する(ステップＳ５０８)。この時、ユーザ配達先が変更されている場合、ユーザは「お届け先」入力欄に新たに住所を入力する。確認ＯＫが入力されずＮＧの場合は(ステップＳ５０８：ＮＧ)、本処理を終了する。確認ＯＫが入力された場合は(ステップＳ５０８：ＯＫ)、「お届け先」住所を含む確認ＯＫ情報を通信部２０６からインターネットＮを介して放送局サーバ３００に送信する。
【００７８】
放送局サーバ３００は、デジタル放送受信端末２００からの確認ＯＫ情報を通信部３０６により受信すると、商品管理部３０３が確認ＯＫ情報に含まれる「お届け先」住所と、ステップＳ６０８で参照したユーザ配達先とを比較して配達先が更新されたか否かを判別する(ステップＳ６０９)。配達先が更新されていない場合は(ステップＳ６０９：ＮＯ)、ステップＳ６１１に進み、配達先が更新されている場合は(ステップＳ６０９：ＹＥＳ)、受信した「お届け先」住所によりユーザ個人情報テーブル４０５の更新処理を行って(ステップＳ６１０)、ステップＳ６１１に進む。
【００７９】
ステップＳ６１１において、商品管理部３０３は、再度、商品管理テーブル４０５(図９参照)から該当商品の在庫を参照して、在庫の有無を確認する。在庫がない場合(ステップＳ６１１：ＮＯ)、エラー通知を通信部３０６からインターネットＮを介してデジタル放送受信端末２００に送信して(ステップＳ６１２)、本処理を終了する。在庫がある場合は(ステップＳ６１１：ＹＥＳ)、ユーザテーブル４０１と、ユーザ購入履歴テーブル４０３(図７参照)と、商品管理テーブル４０５と、を用いて、今回の購入商品に対する該当ユーザの決済処理、電子マネー残高の減額処理、商品在庫数の減数処理、購入商品ＩＤ及び購入日時の記録処理等を行う(ステップＳ６１３)。
【００８０】
次いで、商品管理部３０３は、決済完了通知をＥメール部３０５で作成し、通信部３０６からインターネットＮを介してデジタル放送受信端末２００に送信して(ステップＳ６１４)、本処理を終了する。
【００８１】
デジタル放送受信端末２００では、ＢＭＬブラウザ部２０９が放送局サーバ３００からのエラー通知受信の有無を判別し(ステップＳ５０９)、エラー通知を受信しない場合は(ステップＳ５０９：ＮＯ)、放送局サーバ３００から受信した決済完了通知により購入完了画面を表示部２０３に表示して(ステップＳ５１０)、本処理を終了する。このデータ放送画面に購入確認画面を表示する例を図１７に示す。この商品購入完了画面では、上側のテレビ画面に次の購入対象商品を表示し、その下側のデータ画面に購入完了メッセージを表示した例である。
【００８２】
また、ＢＭＬブラウザ部２０９は、エラー通知を受信した場合は(ステップＳ５０９：ＹＥＳ)、エラー画面を表示部２０３に表示して(ステップＳ５１１)、本処理を終了する。
【００８３】
以上のように、本実施の形態のデジタル放送システムでは、デジタル放送受信端末がＢＭＬブラウザ部による通信機能を用いてデジタル放送と連動した商品の購入及び決済をデジタル放送の受信を中断することなく行えるようにし（このとき放送局サーバは第１のサーバ処理手段として機能している）、この決済を行うための価値情報(電子マネー)の追加蓄積(チャージ)はＷＥＢブラウザ部による通信機能を用いて汎用のネットワーク(インターネット)を介して行えるようにした（このとき放送局サーバは第２のサーバ処理手段として機能している）。
【００８４】
したがって、予め汎用のネットワークを介して価値情報を追加蓄積しておけば、ＢＭＬブラウザ部によるデジタル放送受信を中断することなく、デジタル放送と連動した商品の購入及び決済を行うことができる。
【００８５】
なお、本発明の課金処理システムは、上記した実施の形態に限定されるものではなく、本発明の要旨を逸脱しない範囲内において種々変更を加え得ることは勿論である。
【産業上の利用可能性】
【００８６】
本発明は、デジタル放送の受信を中断することなくＢＭＬブラウザで決済可能とし、そのチャージ(価値情報の追加蓄積)も可能にし、ワンセグ放送をはじめＢＭＬ規格に基づくデジタルデータ放送に利用できる。
【図面の簡単な説明】
【００８７】
【図１】本発明の一実施の形態に係るデジタル放送システムの全体構成を示すブロック図である。
【図２】本実施の形態に係るデジタル放送受信端末の構成を示すブロック図である。
【図３】本実施の形態に係る放送局サーバの構成を示すブロック図である。
【図４】本実施の形態に係る決済管理データベース装置の構成を示す図である。
【図５】本実施の形態に係るユーザテーブルの一例を示す図である。
【図６】本実施の形態に係るユーザ個人情報テーブルの一例を示す図である。
【図７】本実施の形態に係るユーザ購入履歴テーブルの一例を示す図である。
【図８】本実施の形態に係る店舗・番組管理テーブルの一例を示す図である。
【図９】本実施の形態に係る商品管理テーブルの一例を示す図である。
【図１０】本実施の形態に係るデジタル放送受信端末と放送局サーバとの間で実行される視聴登録処理を示すフローチャートである。
【図１１】本実施の形態に係るデジタル放送受信端末において表示される登録画面の一例を示す図である。
【図１２】本実施の形態に係るデジタル放送受信端末と放送局サーバとの間で実行されるチャージ処理を示すフローチャートである。
【図１３】本実施の形態に係るデジタル放送受信端末において表示されるチャージ画面の一例を示す図である。
【図１４】本実施の形態に係るデジタル放送受信端末と放送局サーバとの間で実行される決済処理を示すフローチャートである。
【図１５】本実施の形態に係るデジタル放送受信端末において表示される購入案内画面の一例を示す図である。
【図１６】本実施の形態に係るデジタル放送受信端末において表示される購入確認画面の一例を示す図である。
【図１７】本実施の形態に係るデジタル放送受信端末において表示される購入完了画面の一例を示す図である。
【符号の説明】
【００８８】
１０  デジタル放送システム
１００  テレビ局
２００  デジタル放送受信端末
２０１、３０１  制御部
２０２  入力部
２０３  表示部
２０４  ＷＥＢブラウザ部
２０５、３０５  Ｅメール部
２０６、３０６  通信部
２０７  デジタル放送受信部
２０８  デジタル放送制御部
２０８ａ  映像・音声再生部
２０８ｂ  ＮＶＲＡＭ
２０９  ＢＭＬブラウザ部
２１０、３０８  記憶部
３００  放送局サーバ
３０２  ユーザ管理部
３０３  商品管理部
３０４  売買管理部
４００  決済管理データベース装置
４０１  ユーザテーブル
４０２  ユーザ個人情報テーブル
４０３  ユーザ購入履歴テーブル
４０４  店舗・番組管理テーブル
４０５  商品管理テーブル
４０６  売買管理テーブル
Ｎ  インターネット
【図１】
2007336168.tif 000003
【図２】
2007336168.tif 000004
【図３】
2007336168.tif 000005
【図４】
2007336168.tif 000006
【図５】
2007336168.tif 000007
【図６】
2007336168.tif 000008
【図７】
2007336168.tif 000009
【図８】
2007336168.tif 000010
【図９】
2007336168.tif 000011
【図１０】
2007336168.tif 000012
【図１１】
2007336168.tif 000013
【図１２】
2007336168.tif 000014
【図１３】
2007336168.tif 000015
【図１４】
2007336168.tif 000016
【図１５】
2007336168.tif 000017
【図１６】
2007336168.tif 000018
【図１７】
2007336168.tif 000019